(57)【要約】【課題】  所望の経絡上に直接又は衣服の上から接触させることにより、それらの経穴に対応する疾病の治癒や心身の健全化に寄与することができる気功用具を提供すること。【解決手段】  シート片１の片面に夾角２０が鋭角な二つの直線２１，２１からなる一つの山形図形２を表示するか、シート片１に外周輪郭部より切り込まれた状態で夾角２０が鋭角な二つの直線輪郭部２２，２２を有する山形状の切欠部２ａを形成する。シート片１は貼付シートないし粘着シートであって剥離台紙３に貼られているのが好ましい。【選択図】      図１
0003101753.tif 000002
【実用新案登録請求の範囲】
【請求項１】
シート片（１）の片面に夾角（２０）が鋭角な二つの直線（２１，２１）からなる一つの山形図形（２）が表示された気功用具。
【請求項２】
前記シート片（１）は平面形状がほぼ円形又はほぼ楕円形である、請求項１に記載の気功用具。
【請求項３】
シート片（１）に外周輪郭部より切り込まれた状態で夾角（２０）が鋭角な二つの直線輪郭部（２２，２２）を有する山形状の切欠部（２ａ）が形成され、外周部に前記夾角（２０）以外の凹角部及び凸角部を有しない気功用具。
【請求項４】
前記シート片（１）は貼付シートないし粘着シートであって剥離台紙（３）に貼られている、請求項１〜３のいずれかに記載の気功用具。
【請求項５】
短い円筒状のリング（４）の表面又は裏面に、円周方向の一方に向く夾角（２０）が鋭角な二つの直線（２１，２１）からなる山形図形（２）が表示された気功用具。
【請求項６】
前記夾角（２０）は７７°±１°である、請求項１〜５のいずれかに記載の気功用具。
【考案の詳細な説明】
【技術分野】
【０００１】
本考案は気功（生命エネルギーの「気」を活性・強化する健康法ないし治療法）用具に関するものである。
気功には、気功師が患者に気を送って気を活性化する外気功と、自らの修練によって気を活性化する内気功とがあるが、本考案はそのいずれにの際にも使用できる気功用具に関するものである。
【背景技術】
【０００２】
東洋医学のでは、人間のからだには「経絡」と呼ばれる「気」が流れ巡る路（十二あるとされる）があり、各経絡は順に繋がって体の表層を巡っているものと考えられ、気の流れが円滑・活性であると心身ともに健全になり、逆にその流れが滞ると器官に障害が起こって心身が不健全化し、疾病に至る。また、経絡上には気が集中する経穴（つぼ）が点在しており、それぞれの疾病に対応する経穴の気の流れを円滑・促進させると、当該疾病が治癒し心身が健全化する。
【０００３】
従来のこの種の気功用具には、掌を通じて副交感神経に電気的刺激を与え、情緒を安定させるもの（後記特許文献１）、磁気により気の分布に差を生じさせ、これによって経穴への刺激効果を高めるもの（後記特許文献２）、表面に凹凸のある棒状の主体を経穴に押しつけて刺激するもの（後記特許文献３）等がある。
これらは、いずれも身体に物理的な刺激を与えて気功の実を上げようとするものであるが、それぞれの人の状態に適合した物理的刺激の強弱の調節が不可能で、当該刺激の影響には大きな個人差が発生するほか、本質的に気の流れを促進させるものとは言えない。
【特許文献１】特開平６−２９２７３１号公報
【特許文献２】特許第３２０６８８２号公報
【特許文献３】特開２０００−２８５号公報
【考案の開示】
【考案が解決しようとする課題】
【０００４】
本考案の解決課題は、身体に対する物理的刺激が非常に小さく、したがって身体が受ける影響に個人差がないか極めて少ない気功用具を提供することである。
本考案の他の解決課題は、非常に手軽に使用できる気功用具を提供することである。
本考案のさらに他の解決課題は、所望の経絡上に直接又は衣服の上から接触させることにより、その位置又はその近傍の経穴における順方向の気の流れが促進・強化され、それらの経穴に対応する疾病の治癒や心身の健全化に寄与することができる気功用具を提供することである。
【課題を解決するための手段】
【０００５】
本考案の係る第１の気功用具は、前述の課題を解決するため、シート片１の片面に夾角２０が鋭角な二つの直線２１，２１からなる一つの山形図形２が表示されていることを主要な特徴としている。
シート片１は平面形状がほぼ円形又はほぼ楕円形であるのが好ましい。
本考案に係る第２の気功用具は、シート片１に外周輪郭部より切り込まれた状態で夾角２０が鋭角な二つの直線輪郭部２２，２２を有する山形状の切欠部２ａが形成され、外周部に前記夾角２０以外の凹角部及び凸角部を有していないことを主要な特徴としている。
前記第１又は第２の気功用具において、シート片１は貼付シートないし粘着シートであって剥離台紙３に貼られているのが好ましい。
本考案に係る第３の気功用具は、短い円筒状のリング４の表面又は裏面に、円周方向の一方に向く夾角２０が鋭角な二つの直線２１，２１からなる山形図形２が表示されていることを主要な特徴としている。
前記夾角２０は７７°±１°であるのが好ましい。
【考案の効果】
【０００６】
前記第１及び第２の気功用具は、山形図形２又は山形状の切欠部２ａの夾角２０の方向が当該経絡の気の流れ方向と一致する状態で、所望の経絡上に直接又は衣服の上からシート片１を接触させた状態で（好ましくは貼付ないし付着させる）使用すると、その位置又はその近傍の経穴における順方向の気の流れが促進・強化される。その結果、呼吸がより深く脈がより円滑になり、当該経穴に対応する疾病の治癒や心身の健全化が促進される。
前記第３の気功用具は、山形図形２の夾角２０の方向が、指先方向から見て右手であれば時計方向に、左手であれば反時計方向に向く状態で、リング４のサイズにより指輪又は腕輪の要領により皮膚に直接又は衣類（下着や手袋）の上から接触させた状態て使用すると、その位置又はその近傍の経穴における順方向の気の流れが促進・強化される。その結果、呼吸がより深く脈がより円滑になり、当該経穴に対応する疾病の治癒や心身の健全化が促進される。
第１〜第３の気功用具は、それぞれ前述の要領で非常に手軽に使用することができるほか、身体に対する物理的刺激は接触感のみで身体が受ける影響に個人差がほとんどない。
【考案を実施するための最良の形態】
【０００７】
第１実施形態（請求項１に対応）
図１は本考案に係る第１実施形態の気功用具の斜視図である。
剥離台紙３の上には、裏面に粘着層を有するシート片１が多数一定の間隔で貼り付けられている。各シート片１は、皮膚表面に追随して貼付することができるように薄い加工紙や合成樹脂シート等の柔軟な材質であり、その平面形状は円形で直径１０ｍｍ〜３０ｍｍ（この実施形態では２０ｍｍ）程度の寸法である。
シート片１の表面には、夾角２０が鋭角な二つの直線２１，２１からなる一つの山形図形２が表示されている。夾角２０は鋭角であることが必要であり、実験によれば７７°±１°程度であるのが最も効果的であった。山形図形２は印刷により実線で表示するのが好ましいが、破線で表示してもよく、また、印刷によらずプレスにより凸脈状又は凹脈状に表示してもよい。
この実施形態の気功用具は、シート片１を剥離台紙３から剥し、当該シート片１を山形図形２の夾角２０の方向が当該経絡の気の流れ方向と一致する状態で、所望の経絡上に貼り付けて使用すると、その位置又はその近傍の経穴における順方向の気の流れが促進・強化される。その結果、呼吸がより深く脈がより円滑になり、当該経穴に対応する疾病の治癒や心身の健全化が促進される。
【実施例】
【０００８】
図１のように、剥離台紙３の表面に直径２０ｍｍの円形に裁断した多数の粘着性の薄いシート片１（加工紙）が貼り付けられたものを文具店で購入し、各シート片１に夾角２０が約７７°の山形図形２を黒ボールペンにより表示して、必要量の気功用具サンプルを作製した。
年齢３６才から５４歳の健康な男性１３人を選んで試験の対象とし、図４のように、人体５の一つの経絡である膀胱経５０中の肝兪（カンユ）穴５１（第９胸椎棘突起の左右に１．５寸の点に位置する。なお１寸とは、東洋医学で使う専門用語であって当人の親指の幅の大きさのことであり、平均的には１寸≒２０ｍｍである。）を選び、各人の肝兪穴の皮膚面に前記シート片１を貼った場合と、貼らなかった場合との身体の前屈量・後屈量の差を測定する試験を行い、その効果を確認した。膀胱経の気の流れは、同図矢印のように真下に向いているので、シート片１は山形図形２が真下に向く状態に貼った。
なお、膀胱経中の肝兪穴を選んだ理由は、肝兪穴は身体の屈伸運動のときに気が集中する経穴であって、この経穴の気の流れが円滑で強いときは身体の屈曲量が大きくなる一方、気の流れが滞って弱いときは屈曲量が小さくなり、効果が早く現われるからである。
【０００９】
試験要領
前屈の場合は、テーブル状の計測台の縁際に両足の間に当人の両拳が入る程度に両足を開いた状態で起立させ、両手の力を抜いて自然に垂れ下げる要領でゆっくりと前屈させ、計測台の上面レベルを基準レベル（０）として、左手中指の先端が基準レベルを超えて下がった量には（＋）符号を付し、基準レベルに達しなかった量には（−）記号を付してそれぞれ記録した。
後屈の場合は、計測台の中央寄り位置で同様に行った。
測定は前屈試験及び後屈試験ともに各４回行い、各人について前後の回の間に３０分の間隔を置き、１回目と４回目はサンプルを貼らずに行い、２回目と３回目はサンプルを貼って行った。そして、サンプルを貼らない１回目と四回目の測定値、及びサンプルを貼った２回目と３回目の測定値の各平均値を記録した。このような要領で試験を行ったのは、前後屈の回数を重ねるしたがって体が軟らかくなり、屈伸し易くなるのでなるべく客観性を得るためである。
前記試験の結果は表１のとおりであった。
【００１０】
【表１】
0003101753.tif 000003
【００１１】
表１で示すように、前屈の場合は平均約５．４ｃｍ、後屈の場合は平均約２．５ｃｍサンプルを貼った方が深く屈曲し、顕著な効果が現われた。
そして、肝兪穴における気の流れの促進は、主として運動神経、肝臓疾患、黄疸、膽石症、不眠症、眼科疾患、腰痛、顔面麻痺等に好影響を与えるので、前記実施形態の気功用具は、これを肝兪穴にその気の流れ方向に山形図形が沿うように貼ることによりこれらの疾病の回復ないし治癒に貢献するものと言える。
また、試験対象の全員の感想では、サンプルを肝兪穴に貼った場合呼吸が深くなったように感じられた。
【００１２】
第２実施形態（請求項３に対応）
図２で示すように、剥離台紙３に貼られたシート片１は全体として円形であり、当該シート片１には外周輪郭部より切り込まれた状態で夾角２０が鋭角（約７７°）な二つの直線輪郭部２２，２２を有する山形状の切欠部２ａが形成され、当該シート片１は外周部に前記夾角２０以外の凹角部及び凸角部を有していない。
この実施形態の気功用具は、シート片１を剥離台紙３から剥ぎ取り、切欠部２ａの夾角２０が経絡の気の流れ方向に沿う状態で当該経絡の経穴上に貼って使用する。
この実施形態の気功用具についても、実施例１と同様な試験を行ったところほぼ同様な結果を得た。
第２実施形態の気功用具の他の構成や作用効果は、第１実施形態の気功用具と同様であるのでそれらの説明は省略する。
【００１３】
第１実施形態及び第２実施形態の気功用具において、シート片１の材質は、加工紙や合成樹脂シートに代えて布や不織布等を使用することができる。
シート片１の材質が布や不織布である場合には、裏面に衣服に対して容易に着脱できる図示しない貼付部材を設け、衣服の上から貼付して使用することができる。
第１実施形態の気功用具では、山形図形２はシート片１の貼付面又は粘着面に表示されていても差し支えないが、貼付面又は粘着面でない面に表示するのが使用し易い。
【００１４】
第３実施形態（請求項５に対応）
図３で示すように、プラスチック製で短い円筒状のリング４の表面に、円周方向の一方に向く夾角２０が鋭角（約７７°）な二つの直線２１，２１からなる山形図形２を、一定の間隔で四箇所に表示している。
この実施形態の気功用具は、山形図形２の夾角２０の方向が、指先方向から見て右手であれば時計方向に、左手であれば反時計方向に向く状態で、リング４のサイズにより指輪又は腕輪の要領により接触させた状態て使用すると、その位置又はその近傍の経穴における順方向の気の流れが促進・強化される。その結果、呼吸がより深く脈がより円滑になり、当該経穴に対応する疾病の治癒や心身の健全化が促進される。
第３実施形態の気功用具においては、山形図形２はリング４の内面に表示してもよい。
【図面の簡単な説明】
【００１５】
【図１】第１実施形態の気功用具を示す斜視図である。
【図２】第２実施形態の気功用具を示す斜視図である。
【図３】第３実施形態の気功用具を示す斜視図である。
【図４】人体の背中を示す部分図である。
【符号の説明】
【００１６】
１  シート片
２  山形図形
２０  夾角
２１  直線
２２  直線輪郭部
２ａ  切欠部
３  剥離台紙
４  リング
【図１】
0003101753.tif 000004
【図２】
0003101753.tif 000005
【図３】
0003101753.tif 000006
【図４】
0003101753.tif 000007